(57)【要約】【課題】構造を複雑化することなく光学部材のガタつきを抑え、光学性能の低下を防止すること。【解決手段】光軸方向に延出するメインガイドポール１０５の挿入を受け付け、光軸方向に貫通するスリーブ穴と、メインガイドポール１０５の延出方向と平行な方向に延出するサブガイドポール１０６を、サブガイドポール１０６の延出方向に対してスライド可能にクランプするクランプ部材１１０と、を備えたレンズ保持枠１０１を、クランプ部材１１０によってメインガイドポール１０５に対する回動を規制した状態で、スリーブ穴に挿入されたメインガイドポール１０５に沿って光軸方向に摺動させるようにした。【選択図】図１
2010026035.tif 000002
【特許請求の範囲】
【請求項１】
光軸方向に延出するガイドポールの挿入を受け付け、光軸方向に貫通するスリーブ穴と、
前記ガイドポールの延出方向と平行な方向に延出するガイド部材を、当該ガイド部材の延出方向に対してスライド可能にクランプするクランプ部材と、
を備え、
前記クランプ部材によって前記ガイドポールに対する回動を規制した状態で、前記スリーブ穴に挿入されたガイドポールに沿って光軸方向に摺動することを特徴とする光学部材。
【請求項２】
前記クランプ部材は、前記光学部材の主体部に一体に設けられて前記ガイド部材に突き当てられる当て面が設けられたガイド受け部と、前記ガイド受け部に対して接離方向に変位可能なガイド片と、を備えたことを特徴とする請求項１に記載の光学部材。
【請求項３】
前記ガイド片は、前記主体部に設けられて前記光軸方向を軸芯とする回動軸を中心として回動することによって前記ガイド受け部に対して接離方向に変位可能とされていることを特徴とする請求項２に記載の光学部材。
【請求項４】
前記ガイド片は、前記主体部に設けられて当該主体部側を支点として他端が前記ガイド受け部に対して接離するように弾性変形可能とされていることを特徴とする請求項２に記載の光学部材。
【請求項５】
前記クランプ部材は、前記ガイド片を前記ガイド受け部に当接する方向に付勢する付勢部材を備えたことを特徴とする請求項２〜４のいずれか一つに記載の光学部材。
【請求項６】
光軸方向に延出するガイドポールと、
前記ガイドポールの延出方向と平行な方向に延出するガイド部材と、
前記ガイドポールの挿入を受け付け、光軸方向に貫通するスリーブ穴と、前記ガイドポールの延出方向と平行な方向に延出するガイド部材を当該ガイド部材の延出方向に対してスライド可能にクランプするクランプ部材と、を備えた光学部材と、
を備え、
前記クランプ部材によって前記ガイドポールに対する回動を規制した状態で、前記スリーブ穴に挿入されたガイドポールに沿って前記光学部材を光軸方向に摺動させることによって光学性能を調整することを特徴とする光学機器。
【請求項７】
前記ガイドポールおよび前記ガイド部材は、複数のポール状部材であって、
前記光学部材は、複数設けられ、任意の光学部材のスリーブ穴に嵌合するポール状部材を別の光学部材のスリーブ穴に嵌合した光学部材のクランプ部材によってクランプすることを特徴とする請求項６に記載の光学機器。
【請求項８】
前記光学部材は、レンズを保持し、前記スリーブ穴および前記クランプ部材は前記レンズの光路から退避した位置に設けられていることを特徴とする請求項６または７に記載の光学機器。
【請求項９】
撮像用の光電変換素子と、
前記光電変換素子に外光を入射させる請求項６〜８のいずれか一つに記載の光学機器と、
を備えたことを特徴とする撮像装置。
【発明の詳細な説明】
【技術分野】
【０００１】
この発明は、光軸方向に延出するガイドポールを利用して光軸方向に移動可能な光学部材、当該光学部材を備えた光学機器および当該光学機器を備えた撮像装置に関する。
【背景技術】
【０００２】
従来、レンズを保持するレンズ保持枠を、光軸方向に延出するガイドポールに対して摺動可能に嵌合させ、レンズ保持枠をガイドポールに沿って摺動させることによってズームやフォーカスなどの光学性能を調整するようにした光学機器があった。このような光学機器には、光軸を間にして対向する２本のガイドポールを備え、レンズ保持枠に設けられて光軸方向に貫通するスリーブ穴に一方のガイドポールを嵌合させ、レンズ保持枠に設けられたＵ字型の窪み（以下「Ｕ字溝」）によって他方のガイドポールを挟み込むようにしたものがあった。
【０００３】
また従来、２本のガイドポールのうち、一方のガイドポールの近傍に別のガイドポールを設け、一方のガイドポールと別のガイドポールとにレンズ枠を嵌合させるようにした光学機器があった（たとえば、下記特許文献１を参照。）。さらに従来、レンズ枠に対して１つのガイドポールを中心とする回動力を加え、レンズ枠の光軸方向の移動を案内するガイド手段にレンズ枠を押しつけるようにした光学機器（撮像レンズの駆動装置）があった（たとえば、下記特許文献２を参照。）。
【０００４】
【特許文献１】特許第２７９４９２３号公報
【特許文献２】特開平９−１０５８４７号公報
【発明の開示】
【発明が解決しようとする課題】
【０００５】
しかしながら、上述した従来の技術では、量産時における光学部材の製造精度上、Ｕ字溝と他方のガイドポールとの間に隙間が形成されることは避けられず、光軸方向への移動に際して光学部材がガタつき、光学機器における光学性能が低下するという問題があった。特許文献１、２に記載された技術においては光学部材のガタつきを抑制することができるが構造が複雑であり、特に光学部材の数が増えるほど構造が複雑化する傾向にあるという問題があった。
【０００６】
この発明は、上述した従来技術による問題点を解消するため、構造を複雑化することなく光学部材のガタつきを抑え、光学性能の低下を防止することができる光学部材、当該光学部材を備えた光学機器および当該光学機器を備えた撮像装置を提供することを目的とする。
【課題を解決するための手段】
【０００７】
上述した課題を解決し、目的を達成するため、この発明にかかる光学部材は、光軸方向に延出するガイドポールの挿入を受け付け、光軸方向に貫通するスリーブ穴と、前記ガイドポールの延出方向と平行な方向に延出するガイド部材を、当該ガイド部材の延出方向に対してスライド可能にクランプするクランプ部材と、を備え、前記クランプ部材によって前記ガイドポールに対する回動を規制した状態で、前記スリーブ穴に挿入されたガイドポールに沿って光軸方向に摺動することを特徴とする。この発明によれば、クランプ部材によってガイド部材と光学部材との間に隙間を形成することなく、スリーブ穴に挿入されたガイドポールに沿って光学部材を光軸方向に摺動させることができる。
【０００８】
また、この発明にかかる光学部材は、上記の発明において、前記クランプ部材が、前記光学部材の主体部に一体に設けられて前記ガイド部材に突き当てられる当て面が設けられたガイド受け部と、前記ガイド受け部に対して接離方向に変位可能なガイド片と、を備えたことを特徴とする。この発明によれば、ガイド部材におけるクランプ対象位置の形状に応じてガイド片を変位させることで、ガイド部材の形状にかかわらず、クランプ部材によってガイド部材と光学部材との間に隙間を形成することなく、スリーブ穴に挿入されたガイドポールに沿って光学部材を光軸方向に摺動させることができる。
【０００９】
また、この発明にかかる光学部材は、上記の発明において、前記ガイド片が、前記主体部に設けられて前記光軸方向を軸芯とする回動軸を中心として回動することによって前記ガイド受け部に対して接離方向に変位可能とされていることを特徴とする。この発明によれば、簡易な構成によってガイド部材と光学部材との間に隙間を形成することなく、スリーブ穴に挿入されたガイドポールに沿って光学部材を光軸方向に摺動させることができる。
【００１０】
また、この発明にかかる光学部材は、上記の発明において、前記ガイド片が、前記主体部に設けられて当該主体部側を支点として他端が前記ガイド受け部に対して接離するように弾性変形可能とされていることを特徴とする。この発明によれば、簡易な構成によってガイド部材と光学部材との間に隙間を形成することなく、スリーブ穴に挿入されたガイドポールに沿って光学部材を光軸方向に摺動させることができる。
【００１１】
また、この発明にかかる光学部材は、上記の発明において、前記クランプ部材が、前記光学部材の主体部に一体に設けられて前記ガイド部材に突き当てられる当て面が設けられたガイド受け部と、前記主体部に設けられて前記光軸方向を軸芯とする回動軸を中心として回動することによって前記ガイド受け部に対して接離方向に変位可能なガイド片と、を備えたことを特徴とする。この発明によれば、ガイド部材におけるクランプ対象位置の形状に応じてガイド片を変位させることで、ガイド部材の形状にかかわらず、クランプ部材によってガイド部材と光学部材との間に隙間を形成することなく、スリーブ穴に挿入されたガイドポールに沿って光学部材を光軸方向に摺動させることができる。
【００１２】
また、この発明にかかる光学部材は、上記の発明において、前記クランプ部材が、前記ガイド片を前記ガイド受け部に当接する方向に付勢する付勢部材を備えたことを特徴とする。この発明によれば、光学部材が光軸方向に摺動中にガイド部材におけるクランプ対象位置の形状が変動した場合、具体的にはガイド部材の形状が直線的ではない場合にも、ガイド部材の形状にかかわらず、また簡易な構成によって、クランプ部材によってガイド部材と光学部材との間に隙間を形成することなく、スリーブ穴に挿入されたガイドポールに沿って光学部材を光軸方向に摺動させることができる。
【００１３】
また、この発明にかかる光学機器は、光軸方向に延出するガイドポールと、前記ガイドポールの延出方向と平行な方向に延出するガイド部材と、前記ガイドポールの挿入を受け付け、光軸方向に貫通するスリーブ穴と、前記ガイドポールの延出方向と平行な方向に延出するガイド部材を当該ガイド部材の延出方向に対してスライド可能にクランプするクランプ部材と、を備えた光学部材と、を備え、前記クランプ部材によって前記ガイドポールに対する回動を規制した状態で、前記スリーブ穴に挿入されたガイドポールに沿って前記光学部材を光軸方向に摺動させることによって光学性能を調整することを特徴とする。この発明によれば、クランプ部材によってガイド部材と光学部材との間に隙間を形成することなく、スリーブ穴に挿入されたガイドポールに沿って光学部材を光軸方向に摺動させることができる。
【００１４】
また、この発明にかかる光学機器は、上記の発明において、前記ガイドポールおよび前記ガイド部材が、複数のポール状部材であって、前記光学部材が、複数設けられ、任意の光学部材のスリーブ穴に嵌合するポール状部材を別の光学部材のスリーブ穴に嵌合した光学部材のクランプ部材によってクランプすることを特徴とする。この発明によれば、任意の光学部材の光軸方向への摺動を案内するポール状部材によって当該ポール状部材を中心とする別の光学部材の回動を規制して、複数の光学部材の摺動および回動の規制を複数のポール状部材によって相互に兼用することができる。
【００１５】
また、この発明にかかる光学機器は、上記の発明において、前記光学部材が、レンズを保持し、前記スリーブ穴および前記クランプ部材は前記レンズの光路から退避した位置に設けられていることを特徴とする。この発明によれば、光学性能に直接関与するレンズに影響を与えることなく、クランプ部材によってガイド部材と光学部材との間に隙間を形成することなくスリーブ穴に挿入されたガイドポールに沿って光学部材を光軸方向に摺動させることができる。
【００１６】
また、この発明にかかる撮像装置は、撮像用の光電変換素子と、前記光電変換素子に外光を入射させる上記の光学機器と、を備えたことを特徴とする。この発明によれば、光軸方向において良好に摺動する装置を備えた撮像装置を提供することができる。
【発明の効果】
【００１７】
本発明にかかる光学部材、光学機器および撮像装置によれば、クランプ部材によってガイド部材をクランプすることでガイド部材と光学部材との間に形成される隙間に起因する光学部材のガタつきを防止することができるという効果を奏する。これによって、構造を複雑化することなく光学部材のガタつきを抑え、光学性能の低下を防止することができる。
【発明を実施するための最良の形態】
【００１８】
以下に添付図面を参照して、この発明にかかる光学部材、光学機器および撮像装置の好適な実施の形態を詳細に説明する。この発明にかかる光学部材を備えた光学機器は、たとえば撮像装置に取り付けられるレンズ装置に設けられる。レンズ装置は、レンズ装置が備えるレンズあるいはレンズを保持するレンズ保持枠などの光学部材を光軸方向に移動させることによって、一定範囲内で焦点距離を自由に変えることができるものが好ましい。
【００１９】
具体的には、たとえば焦点距離が変化してもピントがずれないズームレンズや、焦点距離の変更に伴いピント位置が変化するバリフォーカルレンズなどによって、この発明にかかる光学機器を実現することができる。ズームレンズやバリフォーカルレンズなどのレンズ装置については、公知の各種の技術を用いて容易に実現可能であるため説明を省略する。
【００２０】
撮像装置は、上記のレンズ装置と、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）などによって実現される撮像素子と、を備えている。撮像装置は、レンズ装置を通過した外光を撮像素子に導入することによって撮像する。このような撮像装置については、公知の各種の技術を用いて容易に実現可能であるため説明を省略する。
【００２１】
（実施の形態１）
まず、この発明にかかる実施の形態１の光学部材を備えた光学機器の概略構成について説明する。図１および図２は、この発明にかかる実施の形態１の光学部材を備えた光学機器の概略構成を示す説明図である。図１においては、この発明にかかる光学部材を備えた光学機器を斜め方向から見た状態を示している。図２においては、この発明にかかる実施の形態１の光学部材を備えた光学機器を光軸方向における一端側から見た状態を示している。
【００２２】
図１において、この発明にかかる実施の形態１の光学機器１００は、光学部材としてのレンズ保持枠１０１を備えている。レンズ保持枠１０１は、レンズ装置における光路を開放するように光軸方向に貫通する開口１０２を備えており、開口１０２にはめ込まれたレンズ１０３を保持している。レンズ１０３は、光学機器１００が適用されるレンズ装置において対物側から入射した光を接眼側に透過させる光学素子であって、入射した光の光線束を収束させたり発散させたりしてレンズ装置における光学性能を調整する。レンズ保持枠１０１が保持するレンズ１０３は、単数であってもよく、また複数のレンズ１０３によって構成される複合レンズであってもよい。なお、光学部材は、レンズ１０３を保持するレンズ保持枠１０１に限るものではなく、レンズ装置における光学性能を調整する部材あるいは機構であって、光軸方向に移動する任意の部材を光学部材とすることができる。
【００２３】
レンズ保持枠１０１は、スリーブボス１０４を備えている。スリーブボス１０４は光軸方向を軸心方向とする略円筒形状からなり、スリーブボス１０４の内周にはガイドポールとしてのメインガイドポール１０５の挿入を受け付けるスリーブ穴２０１が形成されている。メインガイドポール１０５は光軸方向に延出する棒形状からなり、スリーブボス１０４を光軸方向に貫通するスリーブ穴２０１に挿入されている。スリーブボス１０４とメインガイドポール１０５とは、光軸方向において所定の長さにわたって嵌合している。これによって、メインガイドポール１０５の長さ方向すなわち光軸方向におけるレンズ保持枠１０１のガタつきを抑制することができる。
【００２４】
また、レンズ保持枠１０１は、クランプ部材１１０を備えている。クランプ部材１１０は、ガイド受け部２１１とガイド片２１２とを備えており、ガイド受け部２１１とガイド片２１２との間にサブガイドポール１０６をクランプする（挟み込む）。ガイド受け部２１１は、レンズ保持枠１０１に一体に設けられており、当て面としての受容面２１１ａを備えている。受容面２１１ａは、ガイド部材としてのサブガイドポール１０６に突き当てられる。サブガイドポール１０６は、メインガイドポール１０５の延出方向と平行な方向に延出する棒形状からなる。
【００２５】
ガイド部材は、サブガイドポール１０６のようにポール形状に限るものではなく、たとえばレンズ保持枠１０１の外周部に設けられる、図示を省略する鏡筒の内壁に設けられたリブなどによって実現してもよい。この場合、リブは、鏡筒の内周面から、光軸を中心とする円の半径方向に、光軸方向を長手方向として突出した形状とする。また、リブは、鏡筒と一体成型することができる。
【００２６】
ガイド片２１２は、レンズ保持枠１０１に設けられて光軸方向を軸芯とする回動軸２１３を中心として回動可能に設けられている。ガイド片２１２は、サブガイドポール１０６に突き当てられる受容面２１２ａを備え、回動軸２１３を中心として回動することによって受容面２１１ａに対して受容面２１２ａが接離する方向に変位可能とされている。受容面２１１ａに対して受容面２１２ａが接離する方向にガイド片２１２を変位させることによって、サブガイドポール１０６とレンズ保持枠１０１との間に隙間を形成することなくサブガイドポール１０６をクランプすることができる。
【００２７】
回動軸２１３には、付勢部材としてのトーションスプリング２１４が設けられている。トーションスプリング２１４は、ガイド片２１２がガイド受け部２１１に当接する方向に、ガイド片２１２を付勢する。トーションスプリング２１４は、ガイド片２１２がガイド受け部２１１に当接するまで付勢するものに限らず、ガイド片２１２における受容面２１１ａがガイド受け部２１１における受容面２１２ａに接近する方向にガイド片２１２を付勢するものであればよい。トーションスプリング２１４は、クランプ部材１１０がサブガイドポール１０６をクランプした（挟み込んだ）状態で、サブガイドポール１０６に対してスライド可能となる付勢力でガイド片２１２を付勢する。
【００２８】
図３および図４は、この発明にかかる実施の形態１の光学部材を複数備えた光学機器の概略構成を示す説明図である。図３においては、この発明にかかる実施の形態１の光学部材を複数備えた光学機器を斜め方向から見た状態を示している。図４においては、この発明にかかる実施の形態１の光学部材を複数備えた光学機器を光軸方向における一端側から見た状態を示している。
【００２９】
図３および図４において、この発明にかかる実施の形態１の光学機器３００は、複数（この実施の形態においては２つ）のレンズ保持枠１０１（１０１Ａ、１０１Ｂ）を備えており、各レンズ保持枠１０１Ａ、１０１Ｂの光軸方向における移動を案内する２本のガイドポール３０１、３０２を備えている。レンズ保持枠１０１Ａは、ズーム調整をおこなうレンズ１０３Ａを保持し、ズーム調整に際して光軸方向に移動するように制御される。レンズ保持枠１０１Ｂは、フォーカス調整をおこなうレンズ１０３Ｂを保持し、フォーカス調整に際して光軸方向に移動するように制御される。レンズ保持枠１０１Ａ、１０１Ｂは、それぞれ、クランプ部材１１０Ａ、１１０Ｂを備えている。クランプ部材１１０Ａ、１１０Ｂは、クランプ部材１１０と同様の構造からなるため説明を省略する。
【００３０】
２本のガイドポール３０１、３０２は、それぞれ、レンズ保持枠１０１Ａが備えたスリーブ穴２０１およびレンズ保持枠１０１Ｂが備えたスリーブ穴２０１に挿入されている。これにより、ガイドポールによってレンズ保持枠１０１Ａの光軸方向への摺動を案内し、ガイドポールによってレンズ保持枠１０１Ｂの光軸方向への摺動を案内することができる。
【００３１】
光学機器３００においては、レンズ保持枠１０１Ａが備えたスリーブボス１０４Ａに形成されたスリーブ穴２０１に挿入されたガイドポール３０１によってレンズ保持枠１０１Ａに対するガイドポールが実現されている。レンズ保持枠１０１Ａに対するガイドポールは、レンズ保持枠１０１Ａに対して、図１におけるメインガイドポール１０５と同等の機能を実現する。
【００３２】
また光学機器３００においては、レンズ保持枠１０１Ｂが備えたスリーブボス１０４Ｂに形成されたスリーブ穴２０１に挿入されたガイドポール３０２によってレンズ保持枠１０１Ｂに対するガイドポールが実現されている。レンズ保持枠１０１Ｂに対するガイドポールは、レンズ保持枠１０１Ｂに対して、図１におけるメインガイドポール１０５と同等の機能を実現する。
【００３３】
レンズ保持枠１０１Ａが備えるクランプ部材１１０Ａは、スリーブボス１０４Ｂに形成されたスリーブ穴２０１に挿入されたガイドポール３０２をクランプしている。レンズ保持枠１０１Ｂが備えるクランプ部材１１０Ｂは、スリーブボス１０４Ａに形成されたスリーブ穴２０１に挿入されたガイドポール３０１をクランプしている。光学機器３００においては、レンズ保持枠１０１Ａが備えるクランプ部材１１０がクランプするガイドポールによって、レンズ保持枠１０１Ａに対して、図１におけるサブガイドポール１０６と同等の機能が実現されている。また光学機器３００においては、レンズ保持枠１０１Ｂが備えるクランプ部材１１０がクランプするガイドポールによって、レンズ保持枠１０１Ｂに対して、図１におけるサブガイドポール１０６と同等の機能が実現されている。
【００３４】
レンズ保持枠１０１Ａが備えるクランプ部材１１０によってガイドポール３０２をクランプすることによって、ガイドポール３０１を中心とするレンズ保持枠１０１Ａの回動をガイドポール３０２によって規制することができる。またレンズ保持枠１０１Ｂが備えるクランプ部材１１０によってガイドポール３０１をクランプすることによって、ガイドポール３０２を中心とするレンズ保持枠１０１Ｂの回動をガイドポール３０１によって規制することができる。すなわち、レンズ保持枠１０１Ａの光軸方向への摺動を案内するガイドポール３０１によってガイドポール３０２を中心とするレンズ保持枠１０１Ｂの回動を規制するとともに、レンズ保持枠１０１Ｂの光軸方向への摺動を案内するガイドポール３０２によってガイドポール３０１を中心とするレンズ保持枠１０１Ａの回動を規制することができる。
【００３５】
つぎに、従来の光学機器の一例について説明する。図５および図６は、従来の光学機器の一例を示す説明図である。図５においては、従来の光学機器を斜め方向から見た状態を示している。図６においては、従来の光学機器を光軸方向における一端側から見た状態を示している。
【００３６】
図５および図６において、従来の光学機器５００は、複数（この実施の形態においては２つ）のレンズ保持枠５０１Ａ、５０１Ｂを備えている。従来のレンズ保持枠５０１Ａは、光軸方向に貫通するスリーブ穴（符号を省略する）が形成されたスリーブボス５０２を備えている。スリーブボス５０２には、１本目のガイドポール５０３が嵌合している。レンズ保持枠５０１Ａは、Ｕ字型の窪み（以下「Ｕ字溝」）６０１を備えており、Ｕ字溝６０１に２本目のガイドポール５０４を挟み込むようにして設けられている。２本目のガイドポール５０４は、レンズ保持枠５０１Ａに対して、図１におけるサブガイドポール１０６と同等の機能を実現する。
【００３７】
従来のレンズ保持枠５０１Ｂは、光軸方向に貫通するスリーブ穴（符号を省略する）が形成されたスリーブボス５０５を備えている。スリーブボス５０５には、３本目のガイドポール５０６が嵌合している。レンズ保持枠５０１Ｂは、Ｕ字溝（符号を省略する）を備えており、Ｕ字溝に４本目のガイドポール５０７を挟み込むようにして設けられている。本目のガイドポール５０７は、レンズ保持枠５０１Ｂに対して、図１におけるサブガイドポール１０６と同等の機能を実現する。
【００３８】
従来の光学機器５００においては、１つのレンズ保持枠５０１Ａ、５０１Ｂを移動可能な構造とするために、１つのレンズ保持枠５０１Ａ、５０１Ｂに対して２本ずつのガイドポール５０３、５０４、５０６、５０７を用いていた。このため、２つのレンズ保持枠５０１Ａ、５０１Ｂを移動可能な構成とするためには４本のガイドポール５０３、５０４、５０６、５０７が必要となり、光軸方向に移動可能なレンズ保持枠の数が増加する程ガイドポールの本数が増加し、構造が複雑化するとともに光学機器５００の製造コストが増大することとなっていた。
【００３９】
これに対して、この実施の形態の光学機器３００は、レンズ保持枠１０１Ａの光軸方向への摺動を案内するガイドポール３０１によってガイドポール３０２を中心とするレンズ保持枠１０１Ｂの回動を規制するとともに、レンズ保持枠１０１Ｂの光軸方向への摺動を案内するガイドポール３０２によってガイドポール３０１を中心とするレンズ保持枠１０１Ａの回動を規制することができるので、複数のレンズ保持枠１０１Ａ、１０１Ｂの摺動および回動の規制をガイドポール３０１、３０２によって相互に兼用することができる。
【００４０】
光学機器３００によれば、従来の光学機器５００と比較して、レンズ保持枠１０１Ａ、１０１Ｂを光軸方向に移動させるために用いるガイドポール３０１、３０２の本数を半減することができる。また、光学機器３００によれば、従来の光学機器５００と比較して、減らした分のガイドポールが占める空間を不要とすることができるので、光学機器３００の小型化および軽量化を図ることができる。
【００４１】
従来、通常は、所定の摺動抵抗を確保するために光学部材のスリーブ穴にあうような径を有するポールを選択したり、モーター負荷（トルク）を適度に維持するためにＵ字溝に対して適度なガタを保てるような径を有するポールを選択する。しかし、成形条件の変更などにより光学部材のスリーブ穴径の精度のばらつきが生じるため、その際には工数・コストや時間を考慮して成形型の修正はおこなわずに、異なる径のポールに変更することで所定の摺動抵抗やガタを確保させている。
【００４２】
しかし、上述したような従来の技術では、１つのガイドポールに複数の光学部材を設ける場合に、一方の光学部材のスリーブ穴に対してガイドポールの径を変更した場合、他方の光学部材のＵ字溝とのガタの関係に変更が生じてしまうため、従前のガタの関係を維持するように変更したポール径に対して、Ｕ字溝の型を修正する必要が生じてしまう。
【００４３】
これに対して、この実施の形態１によれば、Ｕ字溝の代わりにクランプ部材を用いているため、前述のように一方の光学部材のスリーブ穴径のばらつきによりポールの径を変更した場合にも、当該ポールと係合する他方の光学部材のクランプ部材に関しては修正や変更の必要が生じないため、部品精度の簡易化を図ることができる。
【００４４】
上述したように、この実施の形態１の光学部材としてのレンズ保持枠１０１によれば、光軸方向に延出するガイドポールの一例としてのメインガイドポール１０５の挿入を受け付け、光軸方向に貫通するスリーブ穴２０１と、メインガイドポール１０５の延出方向と平行な方向に延出するガイド部材の一例としてのサブガイドポール１０６を、サブガイドポール１０６の延出方向に対してスライド可能にクランプするクランプ部材１１０と、を備え、クランプ部材１１０によってメインガイドポール１０５に対する回動を規制した状態で、メインガイドポール１０５に沿って光軸方向に摺動することを特徴とするため、クランプ部材１１０によってメインガイドポール１０５とレンズ保持枠１０１との間に隙間を形成することなく、スリーブ穴２０１に挿入されたメインガイドポール１０５に沿ってレンズ保持枠１０１を光軸方向に摺動させることができる。
【００４５】
このように、クランプ部材１１０によってサブガイドポール１０６をクランプすることでサブガイドポール１０６とレンズ保持枠１０１との間に形成される隙間に起因するレンズ保持枠１０１のガタつきを防止することができる。これによって、構造を複雑化することなくレンズ保持枠１０１のガタつきを抑え、レンズ装置における光学性能の低下を防止することができる。
【００４６】
また、この実施の形態１のレンズ保持枠１０１によれば、クランプ部材１１０が、レンズ保持枠１０１に一体に設けられてサブガイドポール１０６に突き当てられるガイド受け部２１１と、レンズ保持枠１０１に設けられて光軸方向を軸芯とする回動軸２１３を中心として回動することによってガイド受け部２１１に対して接離方向に変位可能なガイド片２１２と、を備えたことを特徴とするため、サブガイドポール１０６におけるクランプ対象位置の形状に応じてガイド片２１２を変位させることで、ガイド部材の形状にかかわらず、クランプ部材１１０によってガイド部材と光学部材との間に隙間を形成することなく、スリーブ穴２０１に挿入されたメインガイドポール１０５に沿ってレンズ保持枠１０１を光軸方向に摺動させることができる。
【００４７】
具体的には、たとえばレンズ保持枠１０１の外周部に設けられる、図示を省略する鏡筒の内壁に設けられたリブなどによってガイド部材を実現し、リブにおける上記半径方向の寸法（リブの突出量）や厚みが製造誤差などによって多少変動した場合にも、ガイド片２１２をガイド受け部２１１に対して接離方向に変位させながら、リブを常に良好に挟み込むようにしてスライドすることができる。
【００４８】
また、この実施の形態１のレンズ保持枠１０１によれば、クランプ部材１１０が、ガイド片２１２をガイド受け部２１１に当接する方向に付勢する付勢部材の一例としてのトーションスプリング２１４を備えたことを特徴とするため、レンズ保持枠１０１が光軸方向に摺動中にサブガイドポール１０６におけるクランプ対象位置の形状が変動した場合にも、サブガイドポール１０６の形状にかかわらず、また簡易な構成によって、クランプ部材１１０によってサブガイドポール１０６とレンズ保持枠１０１との間に隙間を形成することなく、スリーブ穴２０１に挿入されたメインガイドポール１０５に沿ってレンズ保持枠１０１を光軸方向に摺動させることができる。
【００４９】
また、この実施の形態１の光学機器１００によれば、光軸方向に延出するメインガイドポール１０５と、メインガイドポール１０５の延出方向と平行な方向に延出するサブガイドポール１０６と、上記のレンズ保持枠１０１とを備え、クランプ部材１１０によってメインガイドポール１０５に対する回動を規制した状態で、メインガイドポール１０５に沿ってレンズ保持枠１０１を光軸方向に摺動させることによってレンズ装置における光学性能を調整することを特徴とするため、クランプ部材１１０によってサブガイドポール１０６とレンズ保持枠１０１との間に隙間を形成することなく、スリーブ穴２０１に挿入されたメインガイドポール１０５に沿ってレンズ保持枠１０１を光軸方向に摺動させることができる。
【００５０】
また、この実施の形態１の光学機器１００によれば、略同一形状からなる２本のガイドポール３０１、３０２を備え、複数設けられたレンズ保持枠１０１Ａ、１０１Ｂの摺動および回動の規制を２本のガイドポール３０１、３０２によって相互に兼用することができるので、複数のレンズ保持枠１０１Ａ、１０１Ｂを光軸方向に移動させるために用いるガイドポールの本数を減らすことができる。そして、減らした分のガイドポールが占めていた空間を不要とすることができるので、光学機器１００の小型化および軽量化を図ることができる。
【００５１】
また、この実施の形態１の光学機器１００によれば、レンズ保持枠１０１、１０１Ａ、１０１Ｂが、レンズ１０３、１０３Ａ、１０３Ｂを保持し、スリーブ穴２０１およびクランプ部材１１０、１１０Ａ、１１０Ｂがレンズ１０３、１０３Ａ、１０３Ｂの光路から退避した位置に設けられていることを特徴とするため、光学性能に直接関与するレンズ１０３、１０３Ａ、１０３Ｂに影響を与えることなく、クランプ部材１１０、１１０Ａ、１１０Ｂによってクランプ対象となる部材（サブガイドポール１０６、ガイドポール３０１、３０２）とレンズ保持枠１０１、１０１Ａ、１０１Ｂとの間に隙間を形成することなく、レンズ保持枠１０１、１０１Ａ、１０１Ｂを光軸方向に摺動させることができる。
【００５２】
また、この実施の形態１の撮像装置は、撮像用の光電変換素子と、光電変換素子に外光を入射させる上記の光学機器１００、３００と、を備えたことを特徴とし、光軸方向において良好に摺動するレンズ保持枠１０１、１０１Ａ、１０１Ｂを備えた撮像装置を提供することにより、構造を複雑化することなくレンズ保持枠１０１、１０１Ａ、１０１Ｂのガタつきを防止して画像ブレのない良好な画像を撮像することができる。
【００５３】
（実施の形態２）
つぎに、この発明にかかる実施の形態２の光学部材について説明する。図７は、この発明にかかる実施の形態２の光学部材を示す説明図である。図７においては、この発明にかかる実施の形態２の光学部材を備えた光学機器を光軸方向における一端側から見た状態を示している。図７において、発明にかかる実施の形態２の光学部材は、レンズ保持枠７０１によって実現される。レンズ保持枠７０１は、クランプ部材７０２を備えている。
【００５４】
クランプ部材７０２は、ガイド受け部２１１とガイド片７０３とを備えており、ガイド受け部２１１とガイド片７０３との間にサブガイドポール１０６をクランプする（挟み込む）。ガイド片７０３は、レンズ保持枠１０１に設けられて光軸方向を軸芯とする回動軸２１３を中心として回動可能に設けられている。ガイド片７０３は、サブガイドポール１０６に突き当てられる受容面７０３ａを備え、クランプ部材７０２に設けられた一端部を支点として、他端が受容面７０３ａに対して接離するように弾性変形可能とされている。受容面２１１ａに対して受容面７０３ａが接離する方向にガイド片７０３を変位させることによって、サブガイドポール１０６とレンズ保持枠１０１との間に隙間を形成することなくサブガイドポール１０６をクランプすることができる。
【００５５】
ガイド片７０３は、サブガイドポール１０６をクランプした状態において、サブガイドポール１０６がガイド受け部２１１に当接する方向（図７における矢印Ａを参照）に、サブガイドポール１０６を付勢する。ガイド片７０３は、ガイド片７０３を形成する材料が有する弾性によって、サブガイドポール１０６を付勢する。
【００５６】
ガイド受け部２１１とガイド片７０３との距離（図７における矢印Ｄ１を参照）は、サブガイドポール１０６の直径と同等、あるいは、サブガイドポール１０６の直径よりも小さく設けられていることが好ましい。これによって、ガイド片７０３において元の形状に戻ろうとする復元力を確実に発生させ、サブガイドポール１０６をガイド受け部２１１に当接する方向に確実に付勢することができ、サブガイドポール１０６を安定してクランプすることができる。
【００５７】
ガイド片７０３の他端側は、図示を省略する付勢部材によって、ガイド片７０３がガイド受け部２１１に当接する方向（図７における矢印Ａを参照）に、ガイド片７０３を付勢されていてもよい。この場合、付勢部材は、たとえば圧縮スプリングや引っ張りスプリングなどのように、ガイド片７０３とは別体で設けられた部材であってもよいし、ガイド片７０３を形成する材料が有する弾性を利用してガイド片７０３を付勢するものであってもよい。
【００５８】
また、ガイド片７０３の他端側を付勢する付勢部材を設ける場合、当該付勢部材は、ガイド片７０３がガイド受け部２１１に当接するまで付勢するものに限らず、ガイド片７０３における受容面７０３ａがガイド受け部２１１における受容面２１２ａに接近する方向にガイド片７０３を付勢するものであればよい。また、ガイド片７０３の他端側を付勢する付勢部材は、クランプ部材１１０がサブガイドポール１０６をクランプした（挟み込んだ）状態で、サブガイドポール１０６に対してスライド可能となる付勢力でガイド片７０３を付勢する。
【００５９】
上述したように、この発明にかかる実施の形態２の光学部材としてのレンズ保持枠７０１によれば、ガイド片７０３が、レンズ保持枠７０１に設けられてレンズ保持枠７０１側を支点として他端がガイド受け部２１１に対して接離するように弾性変形可能とされていることを特徴とするため、簡易な構成によってサブガイドポール１０６とレンズ保持枠７０１との間に隙間を形成することなく、スリーブ穴に挿入されたサブガイドポール１０６に沿ってレンズ保持枠７０１を光軸方向に摺動させることができる。
【００６０】
以上説明したように、本実施の形態によれば、構造を複雑化することなくレンズ保持枠１０１、１０１Ａ、１０１Ｂのガタつきを抑えることができ、レンズ保持枠１０１、１０１Ａ、１０１Ｂのガタつきに起因する光学性能の低下を防止することができる。
【産業上の利用可能性】
【００６１】
以上のように、本発明にかかる光学部材、当該光学部材を備えた光学機器および当該光学機器を備えた撮像装置は、光軸方向に延出するガイドポールを利用して光軸方向に移動可能な光学部材、当該光学部材を備えた光学機器および当該光学機器を備えた撮像装置に有用であり、特に、複数のガイドポールを用いて光軸方向に移動可能な光学部材、当該光学部材を備えた光学機器および当該光学機器を備えた撮像装置に適している。
【図面の簡単な説明】
【００６２】
【図１】この発明にかかる実施の形態１の光学部材を備えた光学機器の概略構成を示す説明図（その１）である。
【図２】この発明にかかる実施の形態１の光学部材を備えた光学機器の概略構成を示す説明図（その２）である。
【図３】この発明にかかる実施の形態１の光学部材を複数備えた光学機器の概略構成を示す説明図（その１）である。
【図４】この発明にかかる実施の形態１の光学部材を複数備えた光学機器の概略構成を示す説明図（その２）である。
【図５】従来の光学機器の一例を示す説明図（その１）である。
【図６】従来の光学機器の一例を示す説明図（その２）である。
【図７】この発明にかかる実施の形態２の光学部材を示す説明図である。
【符号の説明】
【００６３】
１００  光学機器
１０１  レンズ保持枠
１０５  メインガイドポール
１０６  サブガイドポール
１１０、１１０Ａ、１１０Ｂ  クランプ部材
２０１  スリーブ穴
２１１  ガイド受け部
２１１ａ  受容面
２１２  ガイド片
２１２ａ  受容面
２１４  トーションスプリング
７０１  レンズ保持枠
７０３  ガイド片
７０３ａ  受容面
【図１】
2010026035.tif 000003
【図２】
2010026035.tif 000004
【図３】
2010026035.tif 000005
【図４】
2010026035.tif 000006
【図５】
2010026035.tif 000007
【図６】
2010026035.tif 000008
【図７】
2010026035.tif 000009